(57)【特許請求の範囲】
【請求項１】
カメラから映像データを受信し、
第１の情報処理装置から入力されるヘッダ情報を受信し、
他システムから他システム情報を受信し、
第２の情報処理装置から入力されるカメラ設置場所情報を受信し、
第３の情報処理装置から入力される重み付けランクを含む周辺イベント・災害情報を受信し、
情報検索装置から検索日時範囲及び付加情報を含む検索条件を受信し、
前記情報検索装置に検索結果を供給する
カメラ映像データによる状況確認システムであって、
前記映像データを受信する映像データ受信部、
前記映像データのヘッダに前記ヘッダ情報を設定するヘッダ情報設定部、
前記映像データを解析する映像解析部、
前記映像解析部からの解析映像を受けて物体の数、物体の移動方向を含む補助情報を作成する補助情報作成部、
前記他システム情報を受信する他システム情報受信部、
前記カメラ設置場所情報を受信するカメラ設置場所情報受信部、
前記重み付けランクを含む周辺イベント・災害情報を受信する周辺イベント・災害情報受信部、
前記補助情報、カメラ設置場所情報、他システム情報、及び、前記他システム情報がない場合に周辺イベント・災害情報を受信し、用途に応じて一部又は全部を付加情報として前記映像データと対応付けする付加情報作成部、及び、
前記付加情報、ヘッダ情報を含む映像データを映像ＤＢに蓄積する映像データ及び付加情報蓄積制御部
を含む映像蓄積制御装置、
前記映像ＤＢを有する映像蓄積装置、並びに、
前記検索条件を受信する検索条件受信部、前記受信した検索条件に基づき前記映像ＤＢを検索する映像検索部、及び、前記検索結果を供給する映像表示制御部を含む映像検索制御装置、を備え、
前記映像検索部は、
前記受信した検索条件に重み付けランクの指定があるか否かを判定し、
前記判定の結果、前記重み付けランクの指定がある場合には、当該指定された重み付けランクの検索条件を用いて、前記重み付けランクの指定がない場合には、重み付けランクを最上位に設定して、当該重み付けランクの検索条件を用いて第１の検索を実行し、
次に、前記第１の検索の結果において、映像データがあるか否かを判定し、
前記判定の結果、映像データがない場合には、前記重み付けランクをより下位に設定し、当該より下位の重み付けランクの検索条件を用いて第２の検索を実行し、
次に、前記第２の検索の結果において、映像データがあるか否かを判定し、
前記第１の検索又は第２の検索の結果に対する判定の結果、映像データがある場合には、前記検索条件と同一の条件で別カメラの映像データがあるか否かを判定し、
前記判定の結果、映像データがある場合には、前記検索条件による映像データの追加検索を実行し、前記検索条件と同一の条件で別カメラの映像データがあるか否かを判定するものであり、
前記映像表示制御部は、
前記検索条件に基づいて検索された映像データを含む検索結果を前記情報検索装置に供給し、複数の映像が検索条件に合った場合には、重み付けランクの高い方の映像を優先して先に表示させるものであり、
前記映像データの用途に応じて、前記映像データと前記付加情報の一部又は全部を相関させることで、防犯や安全監視のみならず、前記カメラの映像データを防犯・安全監視とは異なる、マーケティング、トラフィック、アミューズメント、観光、祭事、イベント、診察、介護、の何れかの用途に適用可能とした
カメラ映像データによる状況確認システム。
【請求項２】
請求項１に記載のカメラ映像データによる状況確認システムにおいて、
前記補助情報が、「人、動物、植物、自動車、自転車、列車、航空機、船舶、荷物、その他物体の識別検知」の少なくとも１つ以上と、当該識別検知した物体の「単位時間当たりの検知数、移動方向」であるカメラ映像データによる状況確認システム。
【請求項３】
請求項１に記載されたカメラ映像データによる状況確認システムにおいて、前記ヘッダ情報が、情報処理装置から設定可能なヘッダ情報Ａと、当該状況確認システム内で作成されるヘッダ情報Ｂからなるカメラ映像データによる状況確認システム。
【請求項４】
カメラから映像データを受信し、
第１の情報処理装置から入力されるヘッダ情報を受信し、
他システムから他システム情報を受信し、
第２の情報処理装置から入力されるカメラ設置場所情報を受信し、
第３の情報処理装置から入力される重み付けランクを含む周辺イベント・災害情報を受信し、
情報検索装置から検索日時範囲及び付加情報を含む検索条件を受信し、
前記情報検索装置に検索結果を供給する、
カメラ映像データによる状況確認システムにおけるカメラ映像データと付加情報を相関させたカメラ映像データによる状況確認方法であって、
前記映像データを受信する映像データ受信ステップ、
前記映像データのヘッダに前記ヘッダ情報を設定するヘッダ情報設定ステップ、
前記映像データを解析する映像解析ステップ、
前記映像解析ステップからの解析映像を受けて物体の数、物体の移動方向を含む補助情報を作成する補助情報作成ステップ、
前記他システム情報を受信する他システム情報受信ステップ、
前記カメラ設置場所情報を受信するカメラ設置場所情報受信ステップ、
前記重み付けランクを含む周辺イベント・災害情報を受信する周辺イベント・災害情報受信ステップ、
前記補助情報、カメラ設置場所情報、他システム情報、及び、前記他システム情報がない場合に周辺イベント・災害情報を受信し、用途に応じて一部又は全部を付加情報として前記映像データと対応付けする付加情報作成ステップ、及び、
前記付加情報、ヘッダ情報を含む映像データを映像ＤＢに蓄積する映像データ及び付加情報蓄積制御ステップ
を含む映像蓄積制御ステップ、
前記映像ＤＢに前記映像データを蓄積する映像蓄積ステップ、並びに、
前記検索条件を受信する検索条件受信ステップ、前記受信した検索条件に基づき前記映像ＤＢを検索する映像検索ステップ、及び、前記検索結果を供給する映像表示制御ステップを含む映像検索制御ステップ、を備え、
前記映像検索ステップは、
前記受信した検索条件に重み付けランクの指定があるか否かを判定し、
前記判定の結果、前記重み付けランクの指定がある場合には、当該指定された重み付けランクの検索条件を用いて、前記重み付けランクの指定がない場合には、重み付けランクを最上位に設定して、当該重み付けランクの検索条件を用いて第１の検索を実行し、
次に、前記第１の検索の結果において、映像データがあるか否かを判定し、
前記判定の結果、映像データがない場合には、前記重み付けランクをより下位に設定し、当該より下位の重み付けランクの検索条件を用いて第２の検索を実行し、
次に、前記第２の検索の結果において、映像データがあるか否かを判定し、
前記第１の検索又は第２の検索の結果に対する判定の結果、映像データがある場合には、前記検索条件と同一の条件で別カメラの映像データがあるか否かを判定し、
前記判定の結果、映像データがある場合には、前記検索条件による映像データの追加検索を実行し、前記検索条件と同一の条件で別カメラの映像データがあるか否かを判定し、
前記映像表示制御ステップは、
前記検索条件に基づいて検索された映像データを含む検索結果を前記情報検索装置に供給し、複数の映像が検索条件に合った場合には、重み付けランクの高い方の映像を優先して先に表示させる
ことを特徴とするカメラ映像データによる状況確認方法。
【発明の詳細な説明】
【技術分野】
【０００１】
本発明は、カメラ映像データによる状況確認システムおよびカメラ映像データによる状況確認方法に関する。
更に、詳しくは、カメラ映像データに関連付けされた情報を付加し、当該カメラ映像データと当該付加情報とを相関させてカメラ映像データ状況確認を確認可能とするシステムおよび方法に関する。
【背景技術】
【０００２】
カメラからの映像をディスプレイなどに表示して当該映像を目視し、或いは動き検知やライン通過感知、人感センサーなどの外部入力のオン／オフなどで人や物などの状況を把握して、防犯や安全監視を行う監視システムが存在する。
例えば、カメラの映像データに撮影日時、カメラ名称（ローカルな設置場所）、ＩＰアドレス、カメラ内部のアラーム情報（動き検知、外部接点ＯＮ／ＯＦＦなど）を付加する監視カメラシステムがある（特許文献１）。しかし、斯様に映像の目視、人や物の動きなどを監視するシステムにあっては、防犯や安全監視においては有効であるも、それ以外の分野で映像データを活用しづらかった。【０００３】
そこで、本発明は、監視カメラ映像データと付加情報とを相関させて状況確認を可能とし、用途相関分析による映像データによる防犯や安全監視とは異なる他の用途を可能とし、見たい映像を閲覧（モニタ）でき、映像データの利用範囲の拡大を図ることができる技術を提供することを目的とする。
【０００４】
例えば、監視カメラの映像がいつ、どこで、どんなシーンを録画したかを判別できる情報（付加情報）を映像データに付加し、映像データの用途に応じて映像データと付加情報の一部を相関させることで、防犯や安全監視のみならず、マーケティング、トラフィック(交通)、アミューズメント、観光、イベント、診療、介護、その他の用途に利用することができる監視カメラ映像データと付加情報を相関させたカメラ映像データによる状況確認システムおよびカメラ映像データによる状況確認方法を提供することを目的とする。
【先行技術文献】
【特許文献】
【０００５】
【特許文献１】特開２０１３−１６９１１号公報
【発明の概要】
【発明が解決しようとする課題】
【０００６】
上記課題を解決するために、代表的な本発明の監視カメラ映像データと付加情報を相関させた状況確認システムおよび方法の一つは、監視カメラの映像データに、当該映像データに関連する情報を付加し、用途に応じて映像データと付加情報の一部、又は全部を相関させて、検索可能とするものである。
【課題を解決するための手段】
【０００７】
本発明のカメラ映像データによる状況確認システムは、
カメラから映像データを受信し、
第１の情報処理装置から入力されるヘッダ情報を受信し、
他システムから他システム情報を受信し、
第２の情報処理装置から入力されるカメラ設置場所情報を受信し、
第３の情報処理装置から入力される重み付けランクを含む周辺イベント・災害情報を受信し、
情報検索装置から検索日時範囲及び付加情報を含む検索条件を受信し、
前記情報検索装置に検索結果を供給する
カメラ映像データによる状況確認システムであって、
前記映像データを受信する映像データ受信部、
前記映像データのヘッダに前記ヘッダ情報を設定するヘッダ情報設定部、
前記映像データを解析する映像解析部、
前記映像解析部からの解析映像を受けて物体の数、物体の移動方向を含む補助情報を作成する補助情報作成部、
前記他システム情報を受信する他システム情報受信部、
前記カメラ設置場所情報を受信するカメラ設置場所情報受信部、
前記重み付けランクを含む周辺イベント・災害情報を受信する周辺イベント・災害情報受信部、
前記補助情報、カメラ設置場所情報、他システム情報、及び、前記他システム情報がない場合に周辺イベント・災害情報を受信し、用途に応じて一部又は全部を付加情報として前記映像データと対応付けする付加情報作成部、及び、
前記付加情報、ヘッダ情報を含む映像データを映像ＤＢに蓄積する映像データ及び付加情報蓄積制御部
を含む映像蓄積制御装置、
前記映像ＤＢを有する映像蓄積装置、並びに、
前記検索条件を受信する検索条件受信部、前記受信した検索条件に基づき前記映像ＤＢを検索する映像検索部、及び、前記検索結果を供給する映像表示制御部を含む映像検索制御装置、を備え、
前記映像検索部は、
前記受信した検索条件に重み付けランクの指定があるか否かを判定し、
前記判定の結果、前記重み付けランクの指定がある場合には、当該指定された重み付けランクの検索条件を用いて、前記重み付けランクの指定がない場合には、重み付けランクを最上位に設定して、当該重み付けランクの検索条件を用いて第１の検索を実行し、
次に、前記第１の検索の結果において、映像データがあるか否かを判定し、
前記判定の結果、映像データがない場合には、前記重み付けランクをより下位に設定し、当該より下位の重み付けランクの検索条件を用いて第２の検索を実行し、
次に、前記第２の検索の結果において、映像データがあるか否かを判定し、
前記第１の検索又は第２の検索の結果に対する判定の結果、映像データがある場合には、前記検索条件と同一の条件で別カメラの映像データがあるか否かを判定し、
前記判定の結果、映像データがある場合には、前記検索条件による映像データの追加検索を実行し、前記検索条件と同一の条件で別カメラの映像データがあるか否かを判定するものであり、
前記映像表示制御部は、
前記検索条件に基づいて検索された映像データを含む検索結果を前記情報検索装置に供給し、複数の映像が検索条件に合った場合には、重み付けランクの高い方の映像を優先して先に表示させるものであり、
前記映像データの用途に応じて、前記映像データと前記付加情報の一部又は全部を相関させることで、防犯や安全監視のみならず、前記カメラの映像データを防犯・安全監視とは異なる、マーケティング、トラフィック、アミューズメント、観光、祭事、イベント、診察、介護、の何れかの用途に適用可能としたことを特徴とする。
【０００９】
また、本発明のカメラ映像データによる状況確認方法は、
カメラから映像データを受信し、
第１の情報処理装置から入力されるヘッダ情報を受信し、
他システムから他システム情報を受信し、
第２の情報処理装置から入力されるカメラ設置場所情報を受信し、
第３の情報処理装置から入力される重み付けランクを含む周辺イベント・災害情報を受信し、
情報検索装置から検索日時範囲及び付加情報を含む検索条件を受信し、
前記情報検索装置に検索結果を供給する、
カメラ映像データによる状況確認システムにおけるカメラ映像データと付加情報を相関させたカメラ映像データによる状況確認方法であって、
前記映像データを受信する映像データ受信ステップ、
前記映像データのヘッダに前記ヘッダ情報を設定するヘッダ情報設定ステップ、
前記映像データを解析する映像解析ステップ、
前記映像解析ステップからの解析映像を受けて物体の数、物体の移動方向を含む補助情報を作成する補助情報作成ステップ、
前記他システム情報を受信する他システム情報受信ステップ、
前記カメラ設置場所情報を受信するカメラ設置場所情報受信ステップ、
前記重み付けランクを含む周辺イベント・災害情報を受信する周辺イベント・災害情報受信ステップ、
前記補助情報、カメラ設置場所情報、他システム情報、及び、前記他システム情報がない場合に周辺イベント・災害情報を受信し、用途に応じて一部又は全部を付加情報として前記映像データと対応付けする付加情報作成ステップ、及び、
前記付加情報、ヘッダ情報を含む映像データを映像ＤＢに蓄積する映像データ及び付加情報蓄積制御ステップ
を含む映像蓄積制御ステップ、
前記映像ＤＢに前記映像データを蓄積する映像蓄積ステップ、並びに、
前記検索条件を受信する検索条件受信ステップ、前記受信した検索条件に基づき前記映像ＤＢを検索する映像検索ステップ、及び、前記検索結果を供給する映像表示制御ステップを含む映像検索制御ステップ、を備え、
前記映像検索ステップは、
前記受信した検索条件に重み付けランクの指定があるか否かを判定し、
前記判定の結果、前記重み付けランクの指定がある場合には、当該指定された重み付けランクの検索条件を用いて、前記重み付けランクの指定がない場合には、重み付けランクを最上位に設定して、当該重み付けランクの検索条件を用いて第１の検索を実行し、
次に、前記第１の検索の結果において、映像データがあるか否かを判定し、
前記判定の結果、映像データがない場合には、前記重み付けランクをより下位に設定し、当該より下位の重み付けランクの検索条件を用いて第２の検索を実行し、
次に、前記第２の検索の結果において、映像データがあるか否かを判定し、
前記第１の検索又は第２の検索の結果に対する判定の結果、映像データがある場合には、前記検索条件と同一の条件で別カメラの映像データがあるか否かを判定し、
前記判定の結果、映像データがある場合には、前記検索条件による映像データの追加検索を実行し、前記検索条件と同一の条件で別カメラの映像データがあるか否かを判定し、
前記映像表示制御ステップは、
前記検索条件に基づいて検索された映像データを含む検索結果を前記情報検索装置に供給し、複数の映像が検索条件に合った場合には、重み付けランクの高い方の映像を優先して先に表示させる
ことを特徴とする。
【発明の効果】
【００１０】
本発明によれば、映像データを防犯や安全監視のみならず、他の用途、例えば、マーケティング、トラフィック（交通渋滞）、アミューズメント、観光、イベント、診療、介護、その他、などに活用することができる。
【００１１】
上記した以外の課題、構成及び効果は、以下の実施形態の説明により明らかにされる。
【図面の簡単な説明】
【００１２】
【図１】図１は、本発明をカメラ、各種センサー類、他のシステムと映像記録装置とを含む監視カメラ映像システムの構成を示すブロック図。
【図２】図２は、本発明のデータ構造の例を示す図。
【図３】図３は、図１における映像記録装置の映像データベース（映像ＤＢ）への蓄積処理手順の実施の形態を示すフローチャート。
【図４】図４は、図２における映像ＤＢへの検索・閲覧処理手順の実施の形態を示すフローチャート。
【発明を実施するための形態】
【００１３】
以下、本発明の実施形態について説明する。本実施形態は、カメラ映像データと付加情報を相関させたカメラ映像データによる状況確認システムおよび方法として、監視カメラ映像システムおよび方法として説明する。
【００１４】
本発明の監視カメラ映像システムは、例えば、膨大な映像ビックデータから複数の条件にマッチしたカメラ設置場所を特定する情報とカメラ映像を検索、表示可能とし、見たい映像を閲覧（モニタ）できるようにするものである。そのため、カメラ映像と複数のデータベース（ＤＢ）化された付加情報を相関させ、検索可能とする仕組みとする。その基本要素は、例えば、以下のとおりである。
（１）監視カメラ映像（記録映像とリアルタイム映像／ライブ映像）
（２）監視カメラの設置場所／エリア／グループと、その設置区分
（３）時間帯(朝、昼、夕方、夜)、季節、明るさ、気象、人や物の流れ／滞留などの撮影時の状態
（４）周辺イベント情報（日時範囲、場所、イベント規模）
（５）周辺災害、事故状況・・・別システムから取込み
【００１５】
ここで、上記（２）における設置区分は、人通りが比較的に多い／少ない、人以外の動物が多い／少ない、交通量が多い／少ない、など、監視対象物とその通行量または密集度により区分し、さらに屋内／屋外も区分するとよい。
【００１６】
屋内とは、例えば、居室／部屋、通路、エレベータ内、エスカレータ／階段、出入り口、ホール、イベント会場、機械室（含電気室、通信／ＭＤＦ室）、アミューズメント施設（屋内）、診察室／手術室、倉庫（含冷蔵／冷凍庫）、集会所、工場、店舗、駅構内、空港、バス／フェリー発着待合所、公共施設、意屋内畜産施設（養豚場、牛舎など）である。
【００１７】
屋外とは、敷地内、敷地外、屋上、エスカレータ／階段、農地（田畑）、養豚場、イベント会場、森林、公園、道路、線路、空港滑走路、踏切、交差点、歩道、アミューズメント施設（屋外）、トンネル、下線、湖、池、海、他である。
【実施例１】
【００１８】
以下、その一実施例について図に基づいて説明する。図１は、カメラからのカメラ映像データと付加情報を相関させたカメラ映像データによる状況確認システムとして、本発明の監視カメラ映像システム１に適用した場合におけるシステム構成を機能的に示すブロック図である。【００１９】
まず、システム構成について説明する。監視カメラ映像システム１は、ネットワーク６を介してカメラ３（複数のカメラ３１，３２，・・・）、例えば、監視カメラ３からの監視映像データ（以下、映像データと称する）のヘッダに付与するヘッダ情報Ａを入力する情報処理装置２（２１）、カメラ３の設置位置を示す設置場所情報などを登録する情報処理装置２（２２）、他システム情報を提供する各種のセンサー４（各種のセンサー類４１，４２，・・・）や他システム５（５１，５２，・・・）、周辺イベント情報や災害情報などを提供する情報処理装置２（２３）などに接続する。また、監視カメラ映像システム１は、カメラ３の映像データを検索し、検索結果を表示する情報検索装置７（７１）に接続する。【００２０】
監視カメラ映像システム１は、例えば、ＣＰＵを含むサーバからなり、当該サーバは、映像蓄積制御装置１１、映像検索制御装置１２、映像蓄積装置１３、を有する。【００２１】
映像蓄積制御装置１１はカメラ３、各情報処理装置２、各種センサー類４、他システム５などからのデータや情報を元に映像データに付加する情報などを生成し、当該付加情報やヘッダ情報を含む映像データを映像蓄積装置１３に登録するよう動作制御する。付加情報は、複数のデータベース（ＤＢ）にするとよい。【００２２】
すなわち、映像蓄積制御装置１１は、ネットワーク６を介して入力されるカメラ３（３１，３２，・・・）からの映像データ、情報処理装置２（２１）からのヘッダ情報Ａ、各種センサー４や他システムからの他システム情報、情報処理装置２（２２）からのカメラ設置場所情報、情報処理装置２（２３）からのイベント情報、などを受信して、当該映像データに所望の付加情報を付加して映像蓄積装置１３に蓄積する機能を有するものである。【００２３】
そして、上記機能を実現するために、映像蓄積制御装置１１は、ヘッダ情報Ａ設定部１１１１、カメラ接続部１１１２、映像データ受信部１１１３、ヘッダ情報Ｂ追記部１１１４、映像解析部１１１５、補助情報作成部１１１６、カメラ設置場所・設置区分・グループ情報設定部１１１７、他システム情報受信部１１１８、周辺イベント・災害情報受信部１１１９、付加情報作成部１１２０、映像データおよび付加情報蓄積制御部１１２１、などを有し、内部に格納されたプログラム（図３参照）に従って各部の動作を制御する。
【００２４】
また、映像検索制御装置１２は、情報検索装置７（７１）からの検索条件に基づいて映像を検索し、情報検索装置７（７１）のディスプレイに表示する機能を有するものである。
映像検索制御装置１２と映像蓄積制御装置１１は、兼用のＣＰＵで構成してもよい。【００２５】
そして、映像検索制御装置１２は、検索条件受信部１２１、映像検索部１２２、映像表示制御部１２３、などを有し、内部に格納されたプログラム（図４参照）に従って各部の動作を制御する。【００２６】
映像蓄積装置１３は、映像ＤＢ１３１を有する。
カメラ３は、例えば、複数の監視カメラ３１，３２，・・・を含む。情報処理装置２（２１，２２，２３）および情報検索装置７（７１）は、例えば、パーソナルコンピュータからなる。【００２７】
センサー類４は、例えば、温度センサー、湿度センサー、電流センサー、電圧センサー、加速度センサー、水位センサー、照度センサー、音響センサー、赤外線センサー、人感（温度差検知センサー）、振動センサー、重量センサー、などである。【００２８】
次に、映像蓄積制御装置１１および映像検索制御装置１２の各部における動作を説明する。
ヘッダ情報Ａ設定部１１１１は、情報処理装置２（２１）により入力される情報を映像データ３１１のヘッダにヘッダ情報Ａ（第１ヘッダ情報２１０）とし設定する。【００２９】
カメラ接続部１１１２は、例えば、本システムを起動したとき、カメラ３（３１，３２，・・・）と本システム１に電気的に接続する。【００３０】
映像データ受信部１１１３は、カメラ３（３１，３２，・・・）からの映像データ（３１１）を受信し、ヘッダ情報Ｂ追記部１１１４および映像解析部１１１５に供給する。
【００３１】
ヘッダ情報Ｂ追記部１１１４は、映像データに本システム側にて作成したヘッダ情報Ｂ（第２ヘッダ情報２１１）を追加する。【００３２】
映像解析部１１１５は、映像データ受信部１１１３からの映像データを受けて映像を解析する機能を有する。例えば、動き検知（明るさ変化、色合い変化）、移動方向（仮想ラインに対する通過方向）検知、特徴検知（人、動植物、乗り物、荷物、置物など）の解析である。【００３３】
補助情報作成部１１１６は、映像解析部１１１５からの解析映像を受けて補助情報２１２６を作成する。【００３４】
カメラ設置場所・設置区分・グループ情報設定部１１１７は、情報処理装置２（２２）により入力されるカメラ設置場所情報２１２１、設置区分情報２１２２、グループ情報２１２３を設定し、付加情報作成部１１２０に供給する。【００３５】
他システム情報受信部１１１８は、センサー類４のセンサー情報や他システムから入力される他システム情報２１２４を受信し、付加情報作成部１１２０に供給する。【００３６】
周辺イベント・災害情報受信部１１１９は、情報処理装置２（２３）から入力される情報、例えば、イベントシステムや災害情報システムなどからの周辺イベントや災害情報２１２５などを受信し、付加情報作成部１１２０に供給する。【００３７】
付加情報作成部１１２０は、補助情報作成部１１１６、カメラ設置場所・設置区分・グループ情報設定部１１１７、他システム情報受信部１１１８、周辺イベント・災害情報受信部１１１９、からの各情報を受信し、映像データ３１１に付加する付加情報２１２として映像データと対応付けし、映像データおよび付加情報蓄積制御部１１２１に供給する。【００３８】
付加情報２１２は、例えば、設置場所情報２１２１、設置区分情報２１２２、グループ情報２１２３、他システム情報２１２４、周辺イベント・災害情報２１２５、補助情報２１２６、などである。【００３９】
これらの情報は、具体的には、以下のような情報である。
つまり、付加する情報：カメラ設置場所に関する情報、周辺イベント情報などの登録、ならびに温度や照度といったセンサーなどから自動的に得られる情報であり、更に詳しくは、以下のとおりである。【００４０】
（１）撮影日時および休日／平日の別
（２）撮影場所(グローバルな所在地、設置場所の種別：オフィスか、工場か、サーバ室か、公共施設か、公園か、街頭かなど)
（３）設置方式(高さ、角度、屋内／屋外の別、壁掛け／天井吊り／架台／ポール)
（４）カメラ種別(可視光/赤外光、解像度、固定/可動)
（５）撮影時の明るさ
（６）撮影時の気象条件(天候、気温、湿度、風力)
（７）撮影時の周囲でのイベント／祭事／事件／災害(人災／天災)の有無と、その重み付けや規模(例.Ａ：全国規模で不特定多数、Ｂ：周辺地域のみで不特定多数、Ｃ：特定少数)
（８）カメラ映像から得る「移動体の移動方向、流量、滞留の有無」
である。【００４１】
映像データおよび付加情報蓄積制御部１１２１は、付加情報２１２、ヘッダ情報Ａ（２１０）を含む映像データ３１１にヘッダ情報Ｂ追記部１１１４からの、ヘッダ情報Ｂ（２１１）を付与して映像ＤＢ１３１に記憶する。【００４２】
映像ＤＢ１３１は、ヘッダ情報Ａ、ヘッダ情報Ｂ、映像データ３１１、付加情報２１２を含むデータを蓄積する。【００４３】
検索条件受信部１２１は、情報検索装置７（７１）から入力される検索条件を受信する。【００４４】
映像検索部１２２は、検索条件受信部１２１からの検索条件に基づいて映像ＤＢ１３１を検索する。【００４５】
映像表示制御部１２３は、検索条件に基づいて検索された検索結果（含映像データ）を抽出して情報検索装置７（７１）のディスプレイに供給し、映像を表示する。このとき、検索して抽出した映像と共に付加情報などを表示してもよい。また、映像は、検索条件に合えば、複数の映像であってもよい。この場合には、重み付けランクの高い方の映像を優先して先に表示するようにしてもよい。また、検索条件例としては、例えば、以下のとおりである。
【００４６】
（検索例）
下記条件で検索すると、該当するカメラ設置場所と記録映像またはライブ映像／リアルタイム映像を表示する。検索条件は、１つ以上とし、ＡＮＤまたはＯＲが指定できるものとする。【００４７】
・検索例１〜防犯・安全監視用途：
○月○日の20：00〜翌2：00に△□公園内を通行している人物
検索例１の検索方法：
１）ヘッダ情報Ｂの録画日時から“○月○日の20：00〜○月○+１日の2：00”の映像データを抽出する。
２）上記映像データに対し、設置場所情報から「△□公園内に設置したカメラ」映像を絞り込む。また、同時に「△□公園内に設置したカメラ」の数を知る。
３）上記映像データに対し、さらに、補助情報に“人の移動”があると付与された映像データを絞り込み、絞り込まれた映像データを情報検索装置７（７１）に表示する。
４）「△□公園内に設置したカメラ」が複数の場合、カメラＩＤ順で３）を繰り返す。【００４８】
・検索例２〜トラフィックおよび安全監視用途：
（鉄道事故の直後などに）現在混雑している駅構内の出入口
検索例２の検索方法：
１）情報処理装置２（２３）で、「駅構内の出入口に設置したカメラ」の“周辺イベント、災害情報”に対し、事故の発生した路線や発生した駅との距離や影響度に応じた重み付けを自動または手動で設定する。
２）ヘッダ情報Ｂの録画日時から“現在日時から5分前までの”の映像データを抽出する。
３）上記映像データに対し、設置場所情報から「駅構内の出入口に設置したカメラ」映像を絞り込む。また、同時に「駅構内の出入口に設置したカメラ」の数を知る。
４）「駅構内の出入口に設置したカメラ」が複数の場合、検索の順序を重み付けランクの高い順に自動的に設定する。
５）上記映像データに対し、さらに、補助情報に“人の検知数多く、移動速度が遅い”と付与された映像データを絞り込み、絞り込まれた映像データを情報検索装置７（７１）に表示する
６）「駅構内の出入口に設置したカメラ」が複数の場合、上記検索順に従い３）を繰り返す。【００４９】
・検索例３〜マーケティング用途：
4月の雨の日のランチタイム(例えば、11：30〜13：30)の○×ショッピングモールのレストラン街の通行状況
検索例３の検索方法：
１）ヘッダ情報Ｂの録画日時から“4月のランチタイム(例えば、11：30〜13：30)”の映像データを抽出する。
２）上記映像データに対し、設置場所情報から「○×ショッピングモールのレストラン街に設置したカメラ」映像を絞り込む。
また、同時に「○×ショッピングモールのレストラン街に設置したカメラ」の数を知る。
３）上記映像データに対し、他システム情報から“4月のランチタイム(例えば、11：30〜13：30)が雨天”の映像データを絞り込み、絞り込まれた映像データを情報検索装置７（７１）に表示する。
４）さらに、補助情報に通行人の検知数があれば、映像データに加えて、通行人検知数も表示する。【００５０】
・検索例４〜アミューズメント用途：
2月の曇天日で最高気温10℃以下の日のＴレジャーランドの営業時間(例えば、9：00〜22：00)中の駐車状況
なお、検索条件の曇天日を晴天日や雨天日に変更して比較することで、天候別の駐車状況が把握できる。
検索例４の検索方法：
１）情報処理装置２（２３）で、「Ｔレジャーランドの駐車場に設置したカメラ」の“周辺イベント、災害情報”に対し、2月14日の重み付けランクを最高位に設定する。
２）ヘッダ情報Bの録画日時から“2月の営業時間(例えば、9：00〜22：00)”の映像データを抽出する。
３）上記映像データに対し、設置場所情報から「Ｔレジャーランドの駐車場に設置したカメラ」映像を絞り込む。また、同時に「Ｔレジャーランドの駐車場に設置したカメラ」の数を知る。
４）上記映像データに対し、他システム情報から“営業時間(例えば、9：00〜22：00)が曇天”の映像データを絞り込み、絞り込まれた映像データを情報検索装置７（７１）に表示する。
５）さらに、補助情報に自動車の検知数があれば、映像データに加えて、自動車検知数も表示する。【００５１】
上述したように検索する条件を変えることにより、用途に応じた映像データを得ることができる。換言すれば、映像の用途に応じて検索条件を変える。【００５２】
図２は、本発明のデータ構造例を示す構成図である。データ構造は、カメラ３からの映像データ３１１、当該映像データのヘッダに付与される２つのヘッダ情報Ａ、Ｂ（２１０，２１１）および複数の情報２１２１〜２１２６を含む付加情報２１２からなる。【００５３】
ヘッダ情報Ａ（２１０）は、カメラ３にアクセスし、制御するための情報である。例えば、カメラ３を識別するカメラＩＤ、ＩＤアドレス、通信ポート番号、認証ＩＤ／パスワード、カメラ名、カメラ機種名などである。このヘッダ情報Ａは、変更可能であり、追記不可である。【００５４】
ヘッダ情報Ｂ（２１１）は、本システム側にて用意するものであり、例えば、データ全体のサイズ、録画日時、映像データの形式（圧縮方式、縦横サイズ、フレーム数／秒）、録画種別、などである。録画種別は、常時録画の場合は“０”、トリガ連動録画の場合は、“１”にセットする。ヘッダ情報Ｂは、変更および追記とも不可である。【００５５】
映像データ３１１は、カメラ３（３１，３２，・・・）で撮影した映像をデータ化したものである。映像データ３１１は、変更および追記とも不可である。【００５６】
付加情報２１２は、設置場所情報２１２１、設置区分２１２２、グループ情報２１２３、他システム情報２１２４、周辺イベント・災害情報２１２５、補助情報２１２６、を有する。【００５７】
設置場所情報２１２１は、カメラ３の名称と設置場所（住所、建物、施設名称など）に関する情報である。設置場所情報は、変更可能であり、追記不可である。【００５８】
設置区分２１２２は、設置場所の性格に応じた分類情報である。設置区分は、変更可能であり、追記不可である。【００５９】
グループ情報２１２３は、映像データ、設置場所情報に関わらず、一つの監視単位とすべき場合に設定する。一つのカメラが複数のグループに属してもよい。グループ情報は、変更可能であり、追記不可である。【００６０】
他システム情報２１２４は、例えば、気象システム、災害情報システム、など、本システム以外のシステムやセンサー４から取り込む録画時点の一過性の情報である。例えば、現在、雨が降っているか、現在の温度、湿度などである。変更不可であり、追記可である。【００６１】
周辺イベント・災害情報２１２５は、祭事や恒例／季節行事、警戒警報発令中など、期間や地域、或いは規模が限定された情報と重み付けランクである。例えば、今日から３日間、ＸＸデパートでバーゲンセール中、時間は１０：００から１８：００などである。周辺イベント・災害情報は、変更、追記ともに可能である。【００６２】
重み付けランクは、例えば、以下のとおりにする。なお、重み付けランクを４つ以上に細分化しても良い。
（Ａ）特別警報、特別警戒（重犯罪人が潜伏中）、大規模イベント、不特定多数および広範囲（オリンピックなど）
（Ｂ）警報、警戒（軽犯罪人が潜伏中）、中規模イベント、不特定多数および地域限定
（Ｃ）注意報、注意（容疑者が潜伏中）、小規模イベント、少数（招待客／会員限定などおよび地域限定）【００６３】
補助情報２１２６は、映像解析など本システムで自動生成し、付加する情報である。例えば、通行人数や通行車両のカウント結果などである。補助情報は、変更不可であり、追記可である。【００６４】
図３のフローチャートに基づく動作は以下のとおりである。
映像蓄積制御装置１１は、以下の各ステップを実行する。【００６５】
ステップＳ３０１１：映像データを映像ＤＢ１３１に蓄積する処理動作を開始する。【００６６】
ステップＳ３０１２：情報処理装置２１により設定され、映像データ３１１のヘッダに付与されるヘッダ情報Ａ（２１０）を参照する。【００６７】
ステップＳ３０１３：本システム１とカメラ３と接続を行う。【００６８】
ステップＳ３０１４：イベント発生があるか否かを判定する。イベントがある場合（Ｙｅｓ）には、ステップＳ３０１５に進み、当該ステップで情報処理装置２３から入力されたイベント種別を取得する。イベントがない場合（Ｎｏ）は、ステップＳ３０１６に進み、当該ステップでイベントなし情報を作成する。【００６９】
ステップＳ３０１７：情報処理装置２３から取得したイベント種別（２１２５）を追記する。【００７０】
ステップＳ３０１８：カメラ３にて撮影された映像の映像データ３１１を取得する。【００７１】
ステップＳ３０１９：映像データ３１１に関連する映像付帯情報を取得する。【００７２】
ステップＳ３０２０：映像データ３１１を受けてヘッダ情報Ｂ（２１１）を作成する。【００７３】
ステップＳ３０２１：映像データ３１１のヘッダにヘッダ情報Ｂ（２１１）を追記する。【００７４】
ステップＳ３０２２：情報処理装置２２から入力されたカメラ設置場所情報２１２１、設置区分２１２２、グループ情報２１２３を取得する。【００７５】
ステップＳ３０２３：センサー４や情報処理装置２３、つまり他システムからの情報があるか否かを判定する。他システムの情報がある場合（Ｙｅｓ）には、ステップＳ３０２４に進み、当該ステップで他システム情報２１２４を取得する。ない場合（Ｎｏ）には、ステップＳ３０２５に進み、情報処理装置２３から入力された周辺イベント情報や災害情報２１２５を取得する。【００７６】
ステップＳ３０２６：上述した各情報を受け、映像データ３１１に対応付けして付加する付加情報２１２を作成する。【００７７】
ステップＳ３０２７：映像データ３１１に付加情報２１２を追記し付加する。【００７８】
ステップＳ３０２８：付加情報を含む映像データ３１１を映像ＤＢ１３１に蓄積する。【００７９】
ステップＳ３０２９：映像データの映像ＤＢへの蓄積する処理動作を終了する。【００８０】
ステップＳ３０３１：ステップＳ３０１８にて取得した映像データを映像解析部１１１５へ送信する。【００８１】
ステップＳ３０３２：映像解析部１１１５は映像データを解析する処理を実行する。【００８２】
ステップＳ３０３３：ステップＳ３０３２にて映像データの映像解析結果から補助情報を作成し、ステップＳ３０２６に進む。【００８３】
図４のフローチャートに基づく動作は以下のとおりである。映像検索制御装置１２は、以下の各ステップを実行する。【００８４】
ステップＳ４０１１：映像ＤＢ１３１の映像データを検索する処理動作を開始する。【００８５】
ステップＳ４０１２：情報処理装置２４にて指定された検索条件を受信する。検索条件は、例えば、検索日時範囲および付加情報２１２（図２における表のＮｏ．４項〜９項のいずれか）を検索条件とする。【００８６】
ステップＳ４０１３：重み付けランクの指定あるか否かを判定する。判定結果、ある場合（Ｙｅｓ）には、ステップＳ４０１５に進み、ない場合（Ｎｏ）には、ステップＳ４０１４に進む。【００８７】
ステップＳ４０１５：検索条件による検索を実行する。【００８８】
ステップＳ４０１４：重み付けランク（Ａ）を最上位（１）に設定する。
【００８９】
ステップＳ４０１６：映像データ３１１があるか否かを判定する。判定結果、映像データがある場合（Ｙｅｓ）には、ステップＳ４０１７に進み、ない場合（Ｎｏ）には、ステップＳ４０３１に進む。
ステップＳ４０３１：重み付けランク（Ｂ）を中位（２）に設定し、ステップＳ４０３２に進む。
【００９０】
ステップＳ４０３２：検索条件による検索を実行し、ステップＳ４０３３に進む。【００９１】
ステップＳ４０３３：映像データあるか否かを判定する。判定結果、映像データがある場合（Ｙｅｓ）には、ステップＳ４０１７に進み、ない場合（Ｎｏ）には、ステップＳ４０４１に進む。
ステップＳ４０４１：重み付けランク（Ｃ）を最下位（３）に設定し、ステップＳ４０４２に進む。
【００９２】
ステップＳ４０４２：検索条件による検索を実行し、ステップＳ４０４３に進む。【００９３】
ステップＳ４０４３：映像データあるか否かを判定する。判定結果、映像データがある場合（Ｙｅｓ）には、ステップＳ４０１７に進み、ない場合（Ｎｏ）には、ステップＳ４０５１に進む。【００９４】
ステップＳ４０１７：同一条件で別カメラの映像データがあるか否かを判定する。判定結果、ある場合（Ｙｅｓ）には、ステップＳ４０１８に進み、ない場合（Ｎｏ）には、ステップＳ４０１９に進む。【００９５】
ステップＳ４０１８：検索条件による追加検索し、ステップＳ４０１７に戻る。【００９６】
ステップＳ４０１９：検索映像を情報処理装置２３のディスプレイに供給し、表示する。【００９７】
ステップＳ４０５１：検索結果がない旨の表示を行う。【００９８】
ステップＳ４０２０、Ｓ４０５２：映像ＤＢ１３１の映像データを検索する処理動作を終了する。【００９９】
以上述べた実施例によれば、監視カメラの映像がいつ、どこで、どんなシーンを録画したかを判別できる情報を映像データに付加し、用途に応じて映像データと付加情報の一部を相関させることで、防犯や安全監視のみならず、マーケティング、トラフィック(交通)、アミューズメント、観光、イベント、診療、介護その他に利用することができる。【０１００】
また、例えば、「夏季で温湿度が高い晴れの日中は××商店街の人通りが多い→午前中に店舗の受け入れ準備をする」、「ある施設では災害時に避難経路を逆行する人が多い→経路の見直しが必要」など付加情報を相関させることで、新たな事実、状況が把握できるようになる。【０１０１】
また、監視カメラの利用範囲が拡大することで、監視カメラの導入拡大が図れ、さらに付加情報との相関分析をサービス化することができる。【０１０２】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【０１０３】
１・・・監視カメラ映像システム
１１・・・制御装置（映像蓄積制御装置）
１１１１・・・ヘッダ情報Ａ設定部
１１１２・・・カメラ接続部
１１１３・・・映像データ受信部
１１１４・・・ヘッダ情報Ｂ追記部
１１１５・・・映像解析部
１１１６・・・補助情報作成部
１１１７・・・情報設定部（カメラ設置場所情報・設置区分・グループ情報設定部）
１１１８・・・他システム情報受信部
１１１９・・・周辺イベント・災害情報受信部
１１２０・・・付加情報作成部
１１２１・・・映像データおよび付加情報蓄積制御部
１２・・・制御装置（映像検索制御装置）
１２１・・・検索条件受信部
１２２・・・映像検索部（検索エンジン）
１２３・・・映像表示制御部
１３・・・映像蓄積装置（映像記録装置）
１３１・・・映像ＤＢ
【図１】
0006466340.tif 000002
【図２】
0006466340.tif 000003
【図３】
0006466340.tif 000004
【図４】
0006466340.tif 000005